(57)【要約】【課題】十分な遮水性能を持つケーソン護岸遮水目地構造を提供することにある。【解決手段】隣り合うケーソン１０の間に形成される目地部内において相互に嵌まり込む凹凸２０をケーソン側面から形成することにより、排水経路を増大し、遮水性を向上させたことを特徴とする。【選択図】　　　　図１
2004124453.tif 000002
【特許請求の範囲】
【請求項１】
ケーソン目地部内において相互に嵌まり込む凹凸をケーソン側面から形成することにより増大させた排水経路を有し、遮水性を向上させたことを特徴とするケーソン護岸遮水目地構造。
【請求項２】
前記凹凸の隙間に変位追従性のある止水剤を注入し、完全に遮水することを特徴とする請求項１記載のケーソン護岸遮水目地構造。
【請求項３】
前記凹凸は、地震に対して剪断キーにより抵抗し大変形を許さず、微小変形後に隙間が生じたときは止水材を補充することにより修復可能なことを特徴とする請求項１又は２記載のケーソン護岸遮水目地構造。
【請求項４】
前記ケーソン目地両端部には、充填材を注入したゴム管を配置したことを特徴とする請求項１，２又は３記載のケーソン護岸遮水目地構造。
【請求項５】
前記ゴム管の更に外側に塞ぎ板を配置することを特徴とする請求項４記載のケーソン護岸遮水目地構造。
【請求項６】
前記止水材として、ゲル・スラリー状充填物質を使用することを特徴とする請求項１，２，３，４又は５記載のケーソン護岸遮水目地構造。
【請求項７】
前記止水材として、高分子系物質をゲル化したものを使用することを特徴とする請求項１，２，３，４又は５記載のケーソン護岸遮水目地構造。
【請求項８】
前記止水材として、粘土系物質を使用することを特徴とする請求項１，２，３，４又は５記載のケーソン護岸遮水目地構造。
【請求項９】
前記止水材として、ゴムアスファルト系物質を使用することを特徴とする請求項１，２，３，４又は５記載のケーソン護岸遮水目地構造。
【請求項１０】
ケーソン目地部内において相互に嵌まり込む凹凸をケーソン側面から形成することにより、排水経路を増大し、遮水性を向上させたことを特徴とするケーソン護岸遮水方法。
【発明の詳細な説明】
【０００１】
【発明の属する技術分野】
本発明は、ケーソン護岸遮水目地構造及びケーソン護岸遮水方法に関する。例えば、海や湖などの埋め立てのためにケーソンを連続して配置することにより構築する護岸壁において、ケーソンとケーソンの間に形成される間隙から土砂が流出することを防止するために隣り合うケーソン間に適用される技術である。
【０００２】
【従来の技術】
海などの埋め立て工事を行う場合、埋め立てるべき海面を囲んで複数のケーソンを直列に連続して沈設して護岸壁を構築し、この護岸壁にかこまれた海域に土砂を搬入して埋め立てを行う。
このような護岸壁においては、ケーソンは互いに一定の間隔をもって一列に配列されるので、この間隙から埋め立てに用いられる土砂が海水に洗われて流出する恐れがある。
【０００３】
そこでこのような土砂の流出を防止するためケーソン間の目地を完全にシールする必要がある。
従来このようなケーソン護岸の遮水目地構造として、ゴム・合成樹脂などの弾性部材からなる一端が閉じた中空筒状の目地材を内部空気の抜き取りにより強制的に偏平化し、開放端を閉じてケーソンの対向面間に配置したのち目地材の上端を開口することにより目地材の自己復元力により筒状に復帰させることによって目地材を対向面に圧設させるものが使用されている（例えば、特許文献１、特許文献２参照）。
【０００４】
この形式の目地材においては、目地材を対向面により密接に圧設せしめシールを確実にするために、必要に応じ、目地材の中空部に砂、アスファルト、モルタルなどの充填材が注入充填されている。
【０００５】
【特許文献１】
特公昭５６−１１８０６号公報
【特許文献２】
特公平７−１３３６５号公報
【０００６】
【発明が解決しようとする課題】
従来のケーソン式護岸においては、例えば、図２（ａ）に示すように、海面に複数のケーソン１を連続して沈設して護岸壁を構築し、護岸壁に囲まれた中に廃棄物２による埋め立てを行い、隣り合うケーソン１の間の隙間から廃棄物２を含む土砂や汚水が流出しないように、その間に遮水目地構造として、図２（ｂ）に示すように、両端側にゴム管３をそれぞれ配置し、ゴム管３とゴム管３の間に砂４を充填していた。
ゴム管３は、自己復元力によりケーソン壁面を押しつける構造であり、必要に応じて砂等の充填材を注入したものであるため、十分な遮水機能が期待できなかった。
【０００７】
そのため、遮水シートや遮水矢板を併用して、二重に遮水する必要があるが、遮水シートや遮水矢板は、水深が深くなるほど施工が困難となる不具合がある。また、ゴム管３とケーソン壁面が波圧等により擦れ、ゴム管３が摩耗し、充填した砂が漏れる虞があった。
本発明は、十分な遮水性能を持つケーソン護岸遮水目地構造及びケーソン護岸遮水方法を提供することを目的とする。
【０００８】
【課題を解決するための手段】
上記課題を解決する本発明の請求項１に係るケーソン護岸遮水目地構造は、ケーソン目地部内において相互に嵌まり込む凹凸をケーソン側面から形成することにより増大させた排水経路を有し、遮水性を向上させたことを特徴とする。
【０００９】
上記課題を解決する本発明の請求項２に係るケーソン護岸遮水目地構造は、請求項１において、前記凹凸の隙間に変位追従性のある止水剤を注入し、完全に遮水することを特徴とする。
【００１０】
上記課題を解決する本発明の請求項３に係るケーソン護岸遮水目地構造は、請求項１又は２において、前記凹凸は、地震に対して剪断キーにより抵抗し大変形を許さず、目地内に止水材を補充することにより修復可能なことを特徴とする。
【００１１】
上記課題を解決する本発明の請求項４に係るケーソン護岸遮水目地構造は、請求項１，２又は３において、前記ケーソン目地両端部には、充填材を注入したゴム管を配置したことを特徴とする。
【００１２】
上記課題を解決する本発明の請求項５に係るケーソン護岸遮水目地構造は、請求項４において、前記ゴム管の更に外側に塞ぎ板を配置することを特徴とする。
【００１３】
上記課題を解決する本発明の請求項６に係るケーソン護岸遮水目地構造は、請求項１，２，３，４又は５において、前記止水材として、ゲル・スラリー状充填物質を使用することを特徴とする。
【００１４】
上記課題を解決する本発明の請求項７に係るケーソン護岸遮水目地構造は、請求項１，２，３，４又は５において、前記止水材として、高分子系物質をゲル化したものを使用することを特徴とする。
【００１５】
上記課題を解決する本発明の請求項８に係るケーソン護岸遮水目地構造は、請求項１，２，３，４又は５において、前記止水材として、粘土系物質を使用することを特徴とする。
【００１６】
上記課題を解決する本発明の請求項９に係るケーソン護岸遮水目地構造は、請求項１，２，３，４又は５において、前記止水材として、ゴムアスファルト系物質を使用することを特徴とする。
上記課題を解決する本発明の請求項１０に係るケーソン護岸遮水方法は、ケーソン目地部内において相互に嵌まり込む凹凸をケーソン側面から形成することにより、排水経路を増大し、遮水性を向上させたことを特徴とする。
【００１７】
【発明の実施の形態】
本発明の一実施例に係るケーソン護岸遮水目地構造を図１に示す。
図１に示すように、隣り合うケーソン１０の間に目地部内において、相互に嵌まり合う複数の凹凸２０を各ケーソン１０から設けた。
これらの凹凸２０は、三角形状をなす山形のものであり、相互の凹凸２０の間にはケーソンの設計変位量から決定される隙間が形成されている。
【００１８】
更に、各凹凸２０の隙間には変形追従性のあるゲル・スラリー状充填物質等の止水材３０を充填した。
従って、排水経路は各凹凸２０の間を鋸波形に折り曲がることになり、凹凸２０がない場合に比較して、排水経路が大幅に延長され、しかも、延長された排水経路である凹凸２０の間に変形追従性のある止水材３０が充填されるため、完全に遮水されることになる。
【００１９】
このように完全に遮水される結果、従来の目地構造において併用されていた遮水シートや遮水矢板を不要とすることができる。
また、凹凸２０や止水材３０は、遮水シートや遮水矢板と異なり、水深が深くなっても特に施工が困難となるような事情がなく、そのため、水深が深いほど本発明が経済的に有利になる。
【００２０】
また、凹凸２０は相互に微小な隙間を隔てて置されるため、地震に対しては剪断キーにより抵抗し大変形は許容されないが、僅かな変形は許容されることとなり、微小変形後に隙間が生じたときは更に止水材３０を補充することにより簡単に修復することが可能となる。
修復には、例えば、地盤改良の技術を応用することができる。
【００２１】
尚、ケーソン１０が相互に離れる方向に地震により変形するときは、凹凸２０による剪断キーは働かないことになるが、地震による変形は、一般に三軸方向に生じるものであため、稀な場合を除いて凹凸２０による剪断キーが一般的に働くことになる。
更に、充填した止水材３０が漏れ出すのを防ぐため、目地端部においては従来技術を適用することとし、目地端部に砂等の充填剤を注入したゴム管４０をそれぞれ配置し、更に、ゴム管４０の更にその外側に塞ぎ板５０を配置した。
【００２２】
止水材３０に適用できる物質としては、ゲル・スラリー状充填物質の他には、以下のものがある。
▲１▼高分子系物質をゲル化したもの。
▲２▼粘土系物質（ベントナイトなど）
▲３▼ゴムアスファルト系物質
上記物質を使用することにより以下の機械的性能が得られる。
【００２３】
（１）機械的性能
１．透水係数が小さいので、高い遮水性が得られる。
２．海水中において施工可能である。
２．１　海水中において硬化又はゲル化可能であるため、確実に充填できる。
２．２　海水より比重大であるため、施工時に拡散することが無い。
３．外力による変形に対し追従できるため、遮水性能を維持できる。
４．地震時等に主構造体（ケーソン）が大変形をおこし、止水材保持構造である凹凸２０が損傷した場合でも、止水材３０があるので、直ちに護岸内の廃棄物汚水が海へ漏出しない。従って、その間に損傷部を補修し、止水材３０を再充填し、補修工事を完了する事が出来る。つまり、汚染物質の漏出を最小限に抑えられる。
【００２４】
本発明の適用されるケーソンとしては、例えば、図３〜５に示す一般的なケーソン６０が使用できるが、これに限定されるものではなく、公知のケーソンであれば広く使用可能である。
【００２５】
塞ぎ板５０としては、特に限定するものではないが、変位を許容できるように、一方側のケーソン１０にボルト等で固定され、他方のケーソン１０に対してはスライド可能なものとする。
例えば、図６に示すように、長手方向の動きを吸収できるように、塞ぎ板７０の両側をガイド板７０により摺動可能にケーソン６０に装着したものとすることもできる。
【００２６】
【発明の効果】
以上、実施例に基づいて具体的に説明したように、本発明の請求項１に係るケーソン護岸遮水目地構造は、ケーソン目地部内において相互に嵌まり込む凹凸をケーソン側面から形成することにより増大した排水経路を有するため、遮水性を向上させることができた。
【００２７】
また、本発明の請求項２に係るケーソン護岸遮水目地構造は、請求項１において、請求項１において、前記凹凸の隙間に変位追従性のある止水剤を注入し、完全に遮水するので、請求項１と同様な効果を奏する他、遮水シート等が不要となる。
【００２８】
また、本発明の請求項３に係るケーソン護岸遮水目地構造は、請求項１又は２において、請求項１又は２において、前記凹凸は、地震に対して剪断キーにより抵抗し大変形を許さず、請求項１又は２と同様な効果を奏する他、目地内に止水材を補充することにより容易に修復することができる。
【００２９】
また、本発明の請求項４に係るケーソン護岸遮水目地構造は、請求項１，２又は３において、前記ケーソン目地両端部には、充填材を注入したゴム管を配置したので、請求項１，２又は３と同様な効果を奏する他、充填した止水材が漏れ出すのを防止することができる。
【００３０】
また、本発明の請求項５に係るケーソン護岸遮水目地構造は、請求項４において、前記ゴム管の更に外側に塞ぎ板を配置したので、請求項４と同様な効果を奏する他、充填した止水材が漏れ出すのを確実に防止することができる。
【００３１】
また、本発明の請求項６に係るケーソン護岸遮水目地構造は、請求項１，２，３，４又は５において、前記止水材として、ゲル・スラリー状充填物質を使用するので、請求項１，２，３，４又は５と同様な効果を奏する他、遮水性を確実にすることができる。
【００３２】
また、本発明の請求項７に係るケーソン護岸遮水目地構造は、請求項１，２，３，４又は５において、前記止水材として、高分子系物質をゲル化したものを使用することを特徴とする。請求項１，２，３，４又は５と同様な効果を奏する他、遮水性を確実にすることができる。
【００３３】
また、本発明の請求項８に係るケーソン護岸遮水目地構造は、請求項１，２，３，４又は５において、前記止水材として、粘土系物質を使用するので、請求項１，２，３，４又は５と同様な効果を奏する他、遮水性を確実にすることができる。
【００３４】
また、本発明の請求項９に係るケーソン護岸遮水目地構造は、請求項１，２，３，４又は５において、前記止水材として、ゴムアスファルト系物質を使用するので、請求項１，２，３，４又は５と同様な効果を奏する他、遮水性を確実にすることができる。
また、本発明の請求項１０に係るケーソン護岸遮水方法は、ケーソン目地部内において相互に嵌まり込む凹凸をケーソン側面から形成することにより、排水経路を増大しため、遮水性を向上させることができた。
【図面の簡単な説明】
【図１】本発明の一実施例に係るケーソン護岸遮水目地構造を示す構造図である。
【図２】図２（ａ）は従来のケーソン式護岸を示す平面図、図２（ｂ）は図２（ａ）中の一点鎖線で囲んだａ部の拡大図である。
【図３】図４中のＡ−Ａ線断面図である。
【図４】図３中のＢ−Ｂ線断面図である。
【図５】図４中のＣ−Ｃ線断面図である。
【図６】塞ぎ板を示す詳細図である。
【符号の説明】
１０　ケーソン
２０　凹凸
３０　止水材
４０　ゴム管
５０　塞ぎ板
【図１】
2004124453.tif 000003
【図２】
2004124453.tif 000004
【図３】
2004124453.tif 000005
【図４】
2004124453.tif 000006
【図５】
2004124453.tif 000007
【図６】
2004124453.tif 000008